(57)【要約】【課題】圧着面の圧着性の検証等の負荷を軽減できる圧着性検査装置等を提供する。【解決手段】圧着性検査装置１は、指定された折り位置１３、高さ１５、幅１７に従って、圧着メールに印刷する画像データにおいて圧着面１１ａ、１１ｂの範囲を定義し、圧着面１１ａ、１１ｂの画像２１ａ、２１ｂを切り出す。そして、画像２１ａと、画像２１ｂを反転した画像２１ｂ’とで対応する位置にある画素の濃度和を算出し、所定の大きさの領域ごとに、領域内の画素位置間および色間での濃度和の平均値を求め、これを圧着係数に変換する。そして、圧着係数が閾値未満の領域の数が所定の割合以上である場合、圧着メールが圧着不良と判定し、圧着係数が閾値未満の領域２３を抽出し、元の画像２１ａ、２１ｂに重ね合わせて表示する。【選択図】図３
2014136417.tif 000002
【特許請求の範囲】
【請求項１】
互いに圧着される圧着面の圧着性を検査する圧着性検査装置であって、
圧着面に印刷される画像の画素の濃度に基づいて、圧着性の検査を行う検査手段を有することを特徴とする圧着性検査装置。
【請求項２】
前記圧着面は、圧着メールにおいて圧着される圧着面であることを特徴とする請求項１記載の圧着性検査装置。
【請求項３】
前記検査手段は、
一方の圧着面に印刷される画像と、他方の圧着面に印刷される画像を反転した画像とで対応する位置にある画素の濃度和を算出し、濃度和に基づいて圧着性の検査を行うことを特徴とする請求項１または請求項２に記載の圧着性検査装置。
【請求項４】
前記検査手段は、
前記濃度和を、所定の大きさの領域内の画素位置間で平均することを特徴とする請求項３に記載の圧着性検査装置。
【請求項５】
前記検査手段は、
前記濃度和について、所定の大きさの領域内の画素位置間及び色間で平均して平均値を算出し、予め求めた前記平均値と圧着面の圧着力に対応する圧着係数との関係を用いて、前記算出した平均値から圧着係数を求めることを特徴とする請求項３または請求項４に記載の圧着性検査装置。
【請求項６】
前記検査手段は、
前記圧着係数と所定の閾値との比較によって圧着力が十分でないとされる領域が所定の割合以上の場合、圧着不良と判定することを特徴とする請求項５に記載の圧着性検査装置。
【請求項７】
前記圧着係数と所定の閾値との比較によって圧着力が十分でないとされる領域を表示する表示手段を更に有することを特徴とする請求項５または請求項６に記載の圧着性検査装置。
【請求項８】
前記検査手段は、前記色間での平均を行う際、加重平均を行うことを特徴とする請求項５から請求項７のいずれかに記載の圧着性検査装置。
【請求項９】
互いに圧着される圧着面の圧着性を検査する圧着性検査装置が、
圧着面に印刷される画像の画素の濃度に基づいて、圧着性の検査を行うステップを実行することを特徴とする圧着性検査方法。
【請求項１０】
互いに圧着される圧着面の圧着性を検査する圧着性検査装置を、
圧着面に印刷される画像の画素の濃度に基づいて、圧着性の検査を行う検査手段として機能させるためのプログラム。
【請求項１１】
互いに圧着される圧着面の圧着性を検査する圧着性検査装置を、
圧着面に印刷される画像の画素の濃度に基づいて、圧着性の検査を行う検査手段として機能させるためのプログラムを記憶した記憶媒体。
【発明の詳細な説明】
【技術分野】
【０００１】
本発明は、圧着面の圧着性を検査する圧着性検査装置等に関するものである。
【背景技術】
【０００２】
近年、情報の機密性を高めるため、印刷を施した圧着面同士を圧着し、二つ折りあるいは三つ折りなどの構成とした圧着メールが普及している（例えば、特許文献１参照）。
【０００３】
圧着メールの圧着面の例を図９（ａ）に示す。この圧着面１１ａ、１１ｂは、基材３１の表面に疑似接着層３３を設け、その上に印刷を施しインク層３５を形成したものである。圧着メールは、矢印ａに示すように圧着面１１ａ、１１ｂを重ね合わせて加圧し、疑似接着層３３同士を圧着して製造される。
【０００４】
基材３１は厚紙等、各種の用紙である。疑似接着層３３は剥離可能かつ再接着が不可能な接着層であり、例えばＵＶ硬化型樹脂等の疑似接着材を基材３１上に塗布して形成される。インク層３５は、疑似接着層３３上に絵柄や文字等を印刷することでインクによるドットパターンを形成したものである。
【先行技術文献】
【特許文献】
【０００５】
【特許文献１】特開２０１１−２３５４８３号公報
【発明の概要】
【発明が解決しようとする課題】
【０００６】
しかしながら、このような圧着メールにおいて、圧着面１１ａ、１１ｂへの印刷の濃度が高い場合は、圧着面１１ａ、１１ｂの圧着性が弱まり、郵送中に圧着面１１ａ、１１ｂが剥がれるなどの不具合が生じることがある。
【０００７】
すなわち、圧着面１１ａ、１１ｂにおける印刷の濃度が高いと、ドットパターンが大きくなり、図９（ｂ）に示すようにインク層３５の面積が大きくなる。すると、疑似接着層３３同士の接着面積が相対的に減少し、圧着面１１ａ、１１ｂの圧着性が弱まる。
【０００８】
これを回避するため、従来は、圧着メールをテスト製造し、剥離試験を行って圧着性を検証する必要があった。しかしながら、圧着メールのテスト製造や剥離試験は手間がかかる。また、近年ではフルカラー印字における絵柄数の増加に伴い、検証や修正の作業負荷も高まっている。
【０００９】
本発明は、前述した問題点に鑑みてなされたもので、その目的は、圧着面の圧着性の検証等の負荷を軽減できる圧着性検査装置等を提供することである。
【課題を解決するための手段】
【００１０】
前述した目的を達成するために第１の発明は、互いに圧着される圧着面の圧着性を検査する圧着性検査装置であって、圧着面に印刷される画像の画素の濃度に基づいて、圧着性の検査を行う検査手段を有することを特徴とする圧着性検査装置である。
【００１１】
前記のように、圧着面の圧着性と圧着面における印刷の濃度には相関性がある。よって、圧着面に印刷される画像の画素の濃度から圧着面の圧着性を検査することができ、圧着性が弱くなる恐れを前もって予測できる。従って、圧着面の剥離試験等の負荷を軽減できる。
【００１２】
前記圧着面は、圧着メールにおいて圧着される圧着面であることが望ましい。
圧着メールでは、圧着面の圧着性を確保し機密性を保持することが特に重要であり、本発明を適用する効果が特に大きい。また本発明を圧着メールに適用することで、圧着メールをテスト製造して剥離試験を行う手間を省くことができる。
【００１３】
前記検査手段は、一方の圧着面に印刷される画像と、他方の圧着面に印刷される画像を反転した画像とで対応する位置にある画素の濃度和を算出し、濃度和に基づいて圧着性の検査を行うことが望ましい。
これにより、通常の圧着メールのように、圧着される両面に印刷が施されるケースにおいて、圧着性の検査を好適に行うことができる。
【００１４】
前記検査手段は、前記濃度和を、所定の大きさの領域内の画素位置間で平均することが望ましい。
これによって計算量を低減し容易に圧着性検査を行うことができる。
【００１５】
前記検査手段は、前記濃度和について、所定の大きさの領域内の画素位置間及び色間で平均して平均値を算出し、予め求めた前記平均値と圧着面の圧着力に対応する圧着係数との関係を用いて、前記算出した平均値から圧着係数を求めることが望ましい。
これによって、印刷の濃度と圧着力の関係を考慮して、圧着性の検査を行うことができる。
【００１６】
前記検査手段は、前記圧着係数と所定の閾値との比較によって圧着力が十分でないとされる領域が所定の割合以上の場合、圧着不良と判定することが望ましい。
これによって、圧着面において圧着力が弱い部分の面積から圧着不良を予測できる。
【００１７】
前記圧着性判定装置は、前記圧着係数と所定の閾値との比較によって圧着力が十分でないとされる領域を表示する表示手段を更に有することが望ましい。
これによって、圧着性の検証や圧着面に印刷する画像の修正の作業負荷を軽減することができる。
【００１８】
前記検査手段は、前記色間での平均を行う際、加重平均を行うことが望ましい。
これにより、インク層自体が圧着によってある程度接着し、接着力がインクの色ごとに異なるケースを圧着性検査に反映させることができる。
【００１９】
第２の発明は、互いに圧着される圧着面の圧着性を検査する圧着性検査装置が、圧着面に印刷される画像の画素の濃度に基づいて、圧着性の検査を行うステップを実行することを特徴とする圧着性検査方法である。
【００２０】
第３の発明は、互いに圧着される圧着面の圧着性を検査する圧着性検査装置を、圧着面に印刷される画像の画素の濃度に基づいて、圧着性の検査を行う検査手段として機能させるためのプログラムである。
【００２１】
第４の発明は、互いに圧着される圧着面の圧着性を検査する圧着性検査装置を、圧着面に印刷される画像の画素の濃度に基づいて、圧着性の検査を行う検査手段として機能させるためのプログラムを記憶した記憶媒体である。
【発明の効果】
【００２２】
本発明により、圧着面の圧着性の検証等の負荷を軽減できる圧着性検査装置等を提供することができる。
【図面の簡単な説明】
【００２３】
【図１】圧着性検査装置１のハードウェア構成を示す図
【図２】圧着性検査装置１の機能構成を示す図
【図３】圧着性検査方法を示すフローチャート
【図４】圧着面１１ａ、１１ｂの範囲指定の一例を示す図
【図５】圧着性検査方法について説明する図
【図６】圧着性検査方法について説明する図
【図７】圧着係数について説明する図
【図８】領域２３について説明する図
【図９】圧着面１１ａ、１１ｂの一例を示す図
【発明を実施するための形態】
【００２４】
以下図面に基づいて、本発明の実施形態を詳細に説明する。
【００２５】
（１．圧着性検査装置１）
まず、図１を参照して、本発明の実施形態に係る圧着性検査装置１のハードウェア構成について説明する。
【００２６】
図１は、圧着性検査装置１のハードウェア構成を示す図である。図に示すように、圧着性検査装置１は、制御部１０１、記憶部１０２、入力部１０３、表示部１０４、通信部１０５、バス１０６等により構成された一般的なコンピュータ等で実現できる。
【００２７】
制御部１０１は、ＣＰＵ、ＲＯＭ、ＲＡＭ等で構成される。ＣＰＵは、ＲＯＭ、記憶部１０２等に格納されるプログラムをＲＡＭ上のワークメモリ領域に呼び出して実行し、バス１０６を介して接続された各部を駆動制御し、コンピュータが行う処理を実現する。ＲＯＭは、不揮発性メモリであり、コンピュータのブートプログラムやＢＩＯＳ等のプログラム、データ等を恒久的に保持している。ＲＡＭは、揮発性メモリであり、記憶部１０２、ＲＯＭ、記憶媒体等からロードしたプログラム、データ等を一時的に保持するとともに、制御部１０１が各種処理を行うために使用するワークエリアを備える。
【００２８】
記憶部１０２は、ハードディスクドライブ等であり、制御部１０１が実行するプログラム、プログラム実行に必要なデータ、ＯＳ等が格納される。プログラムに関しては、ＯＳに相当する制御プログラムや、後述する処理を実行するためのプログラム等が格納されている。これらのプログラムやデータは、制御部１０１により必要に応じて読出されてＲＡＭに移され、ＣＰＵにより各種の手段として実行される。また、記憶部１０２には、後述する処理で用いる、圧着メールに印刷される画像データが記憶されている。
【００２９】
入力部１０３は、データの入力を行い、例えば、キーボード、マウス等の入力装置を有する。
表示部１０４は、ＣＲＴモニタ、液晶パネル等のディスプレイ装置、およびディスプレイ装置と連携して表示機能を実現するための論理回路等を有する。
【００３０】
通信部１０５は、通信制御装置、通信ポート等を有し、ネットワークを介した通信を媒介する通信インタフェースであり、他の装置との通信制御を行う。
バス１０６は、各部間の制御信号、データ信号等の授受を媒介する経路である。
【００３１】
図２は、圧着性検査装置１の機能構成について説明する図である。本実施形態の圧着性検査装置１は、図９に示した圧着メールの圧着面１１ａ、１１ｂの圧着性検査を行うものであり、図２に示すように検査手段１１１と表示手段１１２を有する。
【００３２】
検査手段１１１は、圧着面１１ａ、１１ｂに印刷される画像の画素の濃度に基づいて、圧着性の検査を行うものである。
表示手段１１２は、後述する圧着係数が所定の閾値未満となる領域を表示するものである。
【００３３】
（２．圧着性検査方法）
次に、圧着性検査装置１による圧着性検査方法について説明する。図３は圧着性検査方法の流れを示すフローチャートであり、図のＳ１０１〜Ｓ１０７は、圧着性検査装置１の制御部１０１が実行する処理である。
【００３４】
圧着性検査装置１にて圧着性検査を行うには、まず、ユーザが、検査対象となる圧着メールに印刷する画像データを圧着性検査装置１にて指定する。圧着性検査装置１は、画像データの指定を受け付ける（Ｓ１０１）。
【００３５】
次に、ユーザは、折り位置、圧着面の高さ、幅等を入力し、画像データにおける圧着面の範囲を指定する。圧着性検査装置１は、この範囲指定を受け付ける（Ｓ１０２）。
【００３６】
図４は、圧着面の範囲指定の一例を示す図である。圧着メール１０は、宛名面１１の他に、圧着メール製造時に加圧して圧着させる圧着面１１ａ、１１ｂを有する郵送物である。
【００３７】
折り位置１３は、圧着面１１ａ、１１ｂを区切る直線である。高さ１５および幅１７は、圧着面１１ａ、１１ｂの高さと幅である。
【００３８】
これらの値を指定することで、圧着面１１ａ、１１ｂが、折り位置１３の両側にある同じサイズの矩形状範囲として定義される。圧着面１１ａ、１１ｂは、折り位置１３で折って重ね合わせ圧着される。
【００３９】
なお、この圧着メール１０は三つ折りの構成のものであり、宛名面１１と圧着面１１ａの裏面も加圧により圧着させる。本実施形態では図４で示した圧着面１１ａ、１１ｂの圧着性検査について説明を行うが、上記の裏面同士の圧着性検査も同様に行うことができる。
【００４０】
図３の説明に戻る。圧着性検査装置１は、図５（ａ）に示すように、Ｓ１０２で指定された圧着面１１ａ、１１ｂの範囲の画像２１ａ、２１ｂを切り出す。そして、図５（ｂ）に示すように、一方の圧着面１１ａの画像２１ａはこのままとするが、他方の圧着面１１ｂについては、画像２１ｂを反転させた画像２１ｂ’を作成する。続いて、画像２１ａと画像２１ｂ’とで対応する位置にある画素の濃度和を算出する（Ｓ１０３）。
【００４１】
Ｓ１０３では、例えば画像がＣＭＹＫ（シアン、マゼンタ、イエロー、ブラック）カラーの場合、図５（ｂ）に示すように画像２１ａ、２１ｂ’で対応する位置にある画素Ａ、Ｂの濃度が、画素Ａ（Ｃ，Ｍ，Ｙ，Ｋ）＝（１００，０，０，０）、画素Ｂ（Ｃ，Ｍ，Ｙ，Ｋ）＝（１００，０，０，１００）である時、濃度和が（Ｃ，Ｍ，Ｙ，Ｋ）＝（２００，０，０，１００）と色ごとに求められる。なお、本実施形態では、濃度を０〜１００の値で表し、数値が大きい程高濃度となりインク層３５（図９参照）の面積が大きくなるものとする。
【００４２】
上記の計算結果を、仮想的に画像２１ａ、２１ｂ’を重ねた画像２２上で示したものが図６（ａ）であり、画素Ａ、Ｂの画素位置Ｃでの濃度和が、（Ｃ，Ｍ，Ｙ，Ｋ）＝（２００，０，０，１００）である。
【００４３】
次に、圧着性検査装置１は、画像２２（図６（ａ）参照）の範囲を所定の大きさで分割した領域ごとに、領域内の画素位置間及び色間での濃度和の平均値を算出する（Ｓ１０４）。
【００４４】
Ｓ１０４において、圧着性検査装置１は、例えば、図６（ｂ）に示すように、所定の大きさの領域Ｄごとに、領域内の各画素位置における濃度和を画素位置間で平均する。ここでは、領域Ｄについて、画素位置間で濃度和を平均した値が（Ｃ，Ｍ，Ｙ，Ｋ）＝（１７５，５０，１００，７５）であるものとする。なお、領域Ｄの大きさは、例えば縦１ｍｍ×横１ｍｍなど、様々に定めることができる。
【００４５】
そして、この値について、色間で更に平均する。ここでは、上記の値を、Ｃ、Ｍ、Ｙ、Ｋで更に平均し、平均値が（１７５＋５０＋１００＋７５）÷４＝１００となる。なお、本実施形態では、この平均値を最大値に対する比として百分率化し以降の処理で用いるものとする。最大値は２００であるので、上記算出した平均値が１００の場合、百分率化した平均値は５０（％）となる。
【００４６】
このようにして、Ｓ１０４において領域内の画素位置間及び色間での濃度和の平均値が算出される。本実施形態では先に画素位置間で濃度和を平均したが、先に色間で平均するようにしてもよい。
【００４７】
図３の説明に戻る。圧着性検査装置１は、Ｓ１０４で算出した平均値を圧着係数に変換し、領域ごとの圧着係数を求める（Ｓ１０５）。
【００４８】
Ｓ１０５において、圧着性検査装置１は、予め剥離試験等によって求めておいた、上記の平均値と圧着係数の関係を用いて、Ｓ１０４で算出した平均値を圧着係数に変換する。
【００４９】
なお、圧着係数は、圧着面１１ａ、１１ｂの圧着力と対応する値である。圧着力は、ＪＩＳ Ｋ６８５４に準ずるものなど、既知の剥離試験によって求めることができる。剥離試験は、例えば圧着された２つの圧着面を掴み具等で掴んで両側から力を加えて剥がすことにより行われ、剥離に要した力が圧着力になる。
【００５０】
図７に上記の平均値と圧着係数の関係の例を示す。圧着係数は０〜１００の値で表され、値が大きい程圧着力は大きい。例えばＳ１０４で算出した平均値が濃度０（％）の場合、圧着係数は１００であり、濃度１０（％）の場合、圧着係数は８０である。また、濃度１００（％）の場合、圧着係数は０とする。この関係は、予め圧着性検査装置１の記憶部１０２等に記憶させておく。
【００５１】
図３の説明に戻る。圧着性検査装置１は、各領域の圧着係数を所定の閾値と比較し、圧着係数が閾値未満であり圧着力が十分でないとされる領域が所定の割合以上存在するかどうか判定する（Ｓ１０６）。
【００５２】
Ｓ１０６において、圧着性検査装置１は、圧着係数が閾値未満の領域の数を算出し、画像２２（図６（ａ）参照）の範囲全体の領域の数に対し所定の割合未満である場合（Ｓ１０６：Ｎｏ）、圧着メールの圧着性が「良」であると判定し、その旨を表示部１０４に表示するなどして処理を終了する。判定基準となる上記の閾値や割合は予め定めておき、記憶部１０２に記憶させることができる。あるいはＳ１０６の判定処理に際し入力するようにしてもよい。これらは様々に設定することが可能で、例えば上記の割合を５０％などと設定できる。
【００５３】
一方、圧着係数が閾値未満の領域の数が所定の割合以上である場合（Ｓ１０６：Ｙｅｓ）、圧着メールの圧着性が「否」であり圧着不良と判定する。
【００５４】
そして、圧着性検査装置１は、その旨を表示部１０４に表示するとともに、圧着係数が閾値未満の領域を、画像２１ａ、２１ｂに重ね合わせて表示する（Ｓ１０７）。これにより、圧着メールに印刷する画像データ上で圧着性の検証を可能とし、修正が必要な箇所をユーザに対して提示することができる。
【００５５】
Ｓ１０７では、まず、図８（ａ）に示すように、圧着係数が閾値未満の領域２３を抽出する。そして、図８（ｂ）に示すように、圧着面１１ａ、１１ｂの画像２１ａ、２１ｂに、この領域２３を重ね合わせて表示する。図８では、領域２３をグレーで表示している。なお、本実施形態では領域２３を画像２１ａ、２１ｂに重ね合わせて表示しているが、領域２３は、画像２１ａや２１ｂと画面を交互に切り替えて表示することなども可能である。
【００５６】
以上説明したように、本実施形態に係る圧着性検査装置１では、指定された折り位置１３、高さ１５、幅１７に従って、圧着メールに印刷する画像データ上で圧着面１１ａ、１１ｂの範囲を定義し、圧着面１１ａ、１１ｂの画像２１ａ、２１ｂを切り出す。そして、画像２１ａと、画像２１ｂを反転した画像２１ｂ’とで対応する位置にある画素の濃度和を算出し、これを用いて圧着面１１ａ、１１ｂの圧着性の検査を行う。
【００５７】
これによって、一方の圧着面１１ａの画像２１ａと、他方の圧着面１１ｂの画像２１ｂを反転した画像２１ｂ’とで対応する位置にある画素の濃度から圧着面１１ａ、１１ｂの圧着性を検査することができ、圧着性が弱くなる恐れを前もって予測できる。従って、圧着面１１ａ、１１ｂの剥離試験等の負荷を軽減できる。
【００５８】
なお、本実施形態では画像２１ａ、２１ｂ’の画素の濃度和を用いることで、通常の圧着メールのように、圧着される両面に印刷が施されるケースにおいて好適に圧着性検査を行うようにした。しかし、圧着面１１ａ、１１ｂの片面のみに印刷を行う場合などでは、Ｓ１０３の濃度和の算出を省略し、濃度和に代えて片面の画素の濃度を用いてＳ１０４以降の処理を行うことも可能である。
【００５９】
また、本実施形態では圧着メールの検査を例に挙げて説明したが、これに限ることはなく、本発明は印刷を施した面を圧着する印刷物全般に適用することが可能である。ただし、圧着メールでは、圧着性を確保し機密性を保持することが特に重要であり、本発明を適用する効果が特に大きい。また本発明を圧着メールに適用することで、圧着メールをテスト製造して剥離試験を行う手間を省くことができる。
【００６０】
また、本実施形態では、所定の大きさの領域ごとに、領域内の画素位置間および色間で濃度和を平均し、これを圧着係数に変換して検査に用いるので、印刷の濃度と圧着性の関係を考慮しつつ、計算量を低減して容易に圧着性検査を行うことができる。
【００６１】
さらに、圧着係数が閾値未満となり圧着力が十分でないと判定される領域が所定の割合以上であれば圧着不良とすることで、圧着面において圧着力が弱い部分の面積から圧着不良を予測できる。
【００６２】
また、圧着不良である場合には、圧着係数が閾値未満の領域２３を表示するので、圧着性の検証や画像２１ａ、２１ｂの修正の作業負荷を軽減することができる。
【００６３】
しかしながら、本発明がこれに限ることはない。例えば、Ｓ１０４では色間の平均として、単純に相加平均を用いたが、本発明の別の例として、加重平均を行うことも可能である。すなわち、（Ｃ，Ｍ，Ｙ，Ｋ）の各値に対して重み付けのための係数を掛けた後、平均値を算出する。ＣＭＹＫの各インク層自体が圧着によってある程度接着することが考えられるので、このようにして加重平均をとることで、使用する顔料の違い等の要因により、接着力がＣＭＹＫの各インクによって異なるケースを圧着性検査に反映させることができる。一方、印刷が１色のインクで行われる場合などでは、Ｓ１０４において、色間の平均をとる計算を省略することも可能である。
【００６４】
また、圧着メールの圧着性の良否判定の方法も、前記したものに限らない。例えば、圧着メールにおいては圧着面１１ａ、１１ｂの外周部の圧着性がより重要であるため、画像２２（図６（ａ）参照）の範囲全体ではなく、外周部の範囲のみを対象として、上記と同様に圧着性の判定を行うこともできる。例えば、前記のＳ１０６では、外周部の範囲内において圧着係数が閾値未満となる領域の数を算出し、外周部の範囲全体の領域の数に対する割合を求めて良否判定を行うこともできる。
【００６５】
さらに、Ｓ１０６において、圧着係数が閾値未満となる領域の割合ではなく、画像２２の範囲全体、あるいは外周部など所定の範囲にある各領域の圧着係数について、領域間での平均値を求め、これを良否判定に用いることも可能である。例えばこの平均値が所定値以上ならば圧着性を「良」とすることが考えられる。
【００６６】
あるいは、Ｓ１０５の圧着係数への変換処理を省略し、Ｓ１０４で求めた濃度和から直接圧着性の良否判定を行うことも可能である。また、圧着性の検査としては、必ずしも圧着メールの圧着性の良否判定を行うものに限ることはなく、例えばＳ１０６の良否判定処理を省略し、Ｓ１０７と同様の処理により求められる領域２３を画像２１ａ、２１ｂに重ねて表示するだけでもよい。
【００６７】
以上、添付図面を参照しながら、本発明の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【符号の説明】
【００６８】
１０………圧着メール
１１ａ、１１ｂ………圧着面
１３………折り位置
１５………高さ
１７………幅
２１ａ、２１ｂ、２１ｂ’………画像
【図１】
2014136417.tif 000003
【図２】
2014136417.tif 000004
【図３】
2014136417.tif 000005
【図４】
2014136417.tif 000006
【図５】
2014136417.tif 000007
【図６】
2014136417.tif 000008
【図７】
2014136417.tif 000009
【図９】
2014136417.tif 000010
【図８】
2014136417.tif 000011